(57)【要約】【課題】本発明はゴルフクラブに関し、ゴルフの打撃練習場、ゴルフコースにおいて初心者がゴルフの打撃練習を行う場合にボールに対するヘッドフェースの打撃位置、打撃方向、飛距離等を確認しながらインパクトでの姿勢を正し、練習に役立たせるものである。【解決手段】ヘッドフェース４のスィートスポット部Ｓの略中心Ｏを通る横線Ｑ１と、シャフト２の軸線Ｑ２とが交叉するヘッド１に対するシャフトの取付個所Ｋの近辺にボール６のインパクト時の打撃により発生する衝撃による抵抗値変化を検知可能な検知手段５を設けることによりボールのヘッドフェースによる打撃位置、打撃方向、飛距離等を表示する表示手段７を設けた。【選択図】      図１
2005006828.tif 000002
【特許請求の範囲】
【請求項１】
ヘッドフェースのスィートスポット部の略中心を通る横線と、シャフトの軸線とが交叉するヘッドに対するシャフトの取付個所の近辺にボールのインパクト時の打撃により発生する衝撃による抵抗値変化を検知可能な検知手段を設けることによりボールのヘッドフェースによる打撃位置、打撃方向、飛距離等を表示する表示手段を設けたことを特徴とするゴルフクラブ。
【請求項２】
前記検知手段は、ヘッドフェースのスィートスポット部、および／またはトゥ側、ヒール側、上部側、下部側等の１個所または数個所のボールの打撃位置が検知可能に設けられたことを特徴とする請求項１に記載のゴルフクラブ。
【請求項３】
前記検知手段は、略面状をなすストレーン・ゲージであり、場所、設置方向を違えて複数個が設けられ、このうち第１検知手段は、ヘッドフェースのスィートスポット部の略中心を通る横線とシャフトの軸線に略平行に接着され、第２検知手段は、前記シャフトの軸線に交叉する軸面に対して所望の傾斜角度をつけて前記シャフト周りに接着されたことを特徴とする請求項１または請求項２に記載のゴルフクラブ。
【請求項４】
前記第１検知手段は、ボールのインパクト時の一次曲げ共振周波数を検知可能に設けられたことを特徴とする請求項１，請求項２，請求項３に記載のゴルフクラブ。
【請求項５】
前記第２検知手段は、ボールのインパクト時のヘッドの局部曲げ共振周波数を検知可能に設けられたことを特徴とする請求項１，請求項２，請求項３，請求項４に記載のゴルフクラブ。
【発明の詳細な説明】
【０００１】
【発明の属する技術分野】
本発明はゴルフクラブに関し、例えばゴルフの打撃練習場、ゴルフコースにおいて初心者がゴルフの打撃練習を行う場合にゴルフボールに対するヘッドフェースの打撃位置、打撃方向、飛距離等を確認しながらインパクトでの姿勢を正し、練習に役立たせようとするものである。
【０００２】
【従来の技術】
従来、初心者がゴルフボールを打撃練習を行う場合に、インパクトの瞬間の打撃姿勢が崩れるのを正すためのゴルフクラブには、ヘッドのボールが当たるヘッドフェース面に高分子圧電体等の圧電検出器を設けたことにより、この圧電検出器によりボールの打撃時の衝撃力を検知し、ボールの打撃位置、飛距離等を検知するようにしたものがある（例えば、特許文献１参照。）。
【０００３】
【特許文献１】
特開昭５７−１７５３７１号公報（第１−４頁、第１−第４図参照）
【０００４】
【発明が解決しようとする課題】
しかしながら、特許文献１に記載の上記従来のゴルフクラブは、ヘッドのボールが当たるヘッドフェース面に高分子圧電体等の圧電検出器を設けたことにより、この圧電検出器によりボールの打撃時の衝撃力を検知するものであるので、圧電検出器がボールの打撃により直接的に大きな衝撃を受けるため、圧電検出器が損壊したり、故障し易く、頻繁に修理が行われることになり、保守・管理も多くの手間と費用がかかっていた。
【０００５】
また、特許文献１に記載のゴルフクラブは、ボールの当たる部分の表面、すなわち、ヘッドフェースの表面に複数個の圧電検出器を分割して設けるものであり、また、圧電検出器の電極のリード線は、ヘッドフェースに設けた複数個の通孔を通じて先ずリード線はヘッド内へと導入され、その後ヘッド内に導入されたリード線はヘッドのヒール側に位置する後部屈曲部から上方へと方向を変換してシャフトの中空部内をグリップの上部へと集約されて配索されてプラグに接続される構造なので、リード線をヘッド内に導入するための通孔をヘッドフェースに複数個、穿孔したり、または既存のヘッドフェースとは異なる構造の特別なヘッドフェースを製作して用意しなければならなかった。従って、既存のヘッドフェースの構造を変更したり、加工することなくそのまま使用することはできなかった。
しかも、リード線をヘッドやシャフト内に配索するためのリード線の配索作業や圧電検出器の端子やプラグに対する接続作業が複雑になり、製作および組立には多くの時間と手間がかかり、容易には行えず、製作コストは高価になっていた。
【０００６】
また、本発明者は、永年の研究と経験とによりゴルフクラブのヘッドフェース以外の個所において、インパクトによるボールの打撃時の打撃姿勢を邪魔することがなく、敏感に打撃により発生する衝撃を効率良く感知する個所を見出した。
【０００７】
そして、本発明は、ヘッドフェース以外の個所において、ボールの打撃時での打撃姿勢を邪魔することがなく、敏感に打撃により発生する衝撃を感知する個所を積極的に活用して検知手段を設置することにより、インパクト時のボールの打撃位置、打撃方向、飛距離等を容易かつ高精度に確認し、また検出手段が不用意に損壊せずに、故障しにくく構造的に堅牢で耐命性が長くなり、保守・管理も容易に行え、また、既存のヘッドフェースを変更することなくそのまま使用することができ、しかも、リード線の配索作業や接続作業が迅速かつ確実になり、さらには、製作および組立が容易に行え、製作コストが安価になるゴルフクラブを提供することを目的とする。
【０００８】
【課題を解決するための手段】
本発明は上記従来の課題に鑑みなされ、請求項１に記載の発明は、ヘッドフェースのスィートスポット部の略中心を通る横線と、シャフトの軸線とが交叉するヘッドに対するシャフトの取付個所の近辺にボールのインパクト時の打撃により発生する衝撃による抵抗値変化を検知可能な検知手段を設けることによりボールのヘッドフェースによる打撃位置、打撃方向、飛距離等を表示する表示手段を設けたことを特徴とするという手段を採用した。
【０００９】
また、本発明の請求項２に記載の発明は、請求項１において、前記検知手段は、ヘッドフェースのスィートスポット部、および／またはトゥ側、ヒール側、上部側、下部側等の１個所または数個所のボールの打撃位置が検知可能に設けられたことを特徴とするという手段を採用した。
【００１０】
また、本発明の請求項３に記載の発明は、請求項１または請求項２において、前記検知手段は、略面状をなすストレーン・ゲージであり、場所、設置方向を違えて複数個が設けられ、このうち第１検知手段は、ヘッドフェースのスィートスポット部の略中心を通る横線とシャフトの軸線に略平行に接着され、第２検知手段は、前記シャフトの軸線に交叉する軸面に対して所望の傾斜角度をつけて前記シャフト周りに接着されたことを特徴とするという手段を採用した。
【００１１】
また、本発明の請求項４に記載の発明は、請求項１，請求項２，請求項３において、前記第１検知手段は、ボールのインパクト時の一次曲げ共振周波数を検知可能に設けられたことを特徴とするという手段を採用した。
【００１２】
また、本発明の請求項５に記載の発明は、請求項１，請求項２，請求項３，請求項４において、前記第２検知手段は、ボールのインパクト時のヘッドの局部曲げ共振周波数を検知可能に設けられたことを特徴とするという手段を採用した。
【００１３】
【発明の実施の形態】
以下、図面に従って本発明の実施の形態の具体例を説明する。
図１は本発明のゴルフクラブの一実施形態を示す斜視図、図２は同じくヘッドとシャフトとをヘッドフェース側から見た拡大正面図、図３は同じく説明的な正面図、図４は同じく本実施形態の表示手段を示す拡大断面図、図５は同じくインパクト時にヘッドフェースのスィートスポット部の中心を通る横線Ｑ１上において、スィートスポット部、トゥ側、ヒール側での各点でボールを打撃した場合に打撃による衝撃に起因する抵抗値変化の測定結果を示す特性図、図６は同じくインパクト時にヘッドフェースの上部側でのスィートスポット部、トゥ側、ヒール側での各点でボールを打撃した場合に打撃による衝撃に起因する抵抗値変化の測定結果を示す特性図、図７は同じくインパクト時にヘッドフェースの下部側でのスィートスポット部、トゥ側、ヒール側での各点でボールを打撃した場合に打撃による衝撃に起因する抵抗値変化の測定結果を示す特性図である。
【００１４】
Ａはゴルフクラブであり、このゴルフクラブＡは例えば図示ではドライバーが示され、ヘッド１に略円錐中空筒状のシャフト２の下端が取付けられ、シャフト２の上部にはグリップ３が装設されている。前記ヘッド１は、例えば金属、木材、合成樹脂等の剛性材により形成される。
【００１５】
４はヘッド１の前面に設けられたヘッドフェースであり、このヘッドフェース４は、剛性材料、例えば金属、または硬質プラスチックにより形成される。
【００１６】
５はゴルフクラブＡに取付けられる検知手段であり、この検知手段５はヘッド１のスィートスポット部Ｓの略中心Ｏを通る横線Ｑ１と、シャフト２の軸線Ｑ２とが交叉するヘッド１に対するシャフト２の取付個所Ｋの近辺にボール６のインパクト時の打撃により発生する衝撃による抵抗値変化を効率良く検知可能に設けられる。
【００１７】
本実施形態では、検知手段５は、略面状をなすストレーン・ゲージであり、この検知手段５は、ボールのインパクト時の打撃により発生する衝撃による抵抗値変化を効率良く検知可能な場所に、設置方向を違えて複数個が設けられることにより、ヘッドフェース４のスィートスポット部Ｓ、およびトゥ側Ｔ、ヒール側Ｈ、上部側Ｕ、さらには下部側Ｄ等の任意の個所でボール６を打撃した場合に、その打撃位置が検知可能に設けられる。
【００１８】
すなわち、本実施形態では、検知手段５は図１、図２、図３に示すように、第１検知手段５Ａと第２検知手段５Ｂとの２個が組み合わせて設けられる。
このうち、第１検知手段５Ａは、ヘッドフェース４のスィートスポット部Ｓの略中心Ｏを通る横線Ｑ１に略平行にヘッド１に対するシャフト２の取付個所Ｋの近辺に接着されることにより、ボール６のインパクト時にボール６の打撃位置が、ヘッドフェース４のスィートスポット部Ｓ、および／またはトゥ側Ｔ、ヒール側Ｈ、上部側Ｕ、さらには下部側Ｄ等でボール６を打撃したか否かを検知する。
【００１９】
そして、この第１検知手段５Ａは、ヘッドフェース４のスィートスポット部Ｓの略中心Ｏを通る横線Ｑ１に略平行にヘッド１に対するシャフト２の取付個所Ｋの近辺に接着されたことにより、ボール６のインパクト時にヘッドフェース４の打撃位置毎、すなわちスィートスポット部Ｓ、およびトゥ側Ｔ、ヒール側Ｈ、上部側Ｕ、さらには下部側Ｄ等に対応して打撃により発生するゴルフクラブＡのモーメント方向Ｍの抵抗値変化を重畳波成分のうち特に一次曲げ共振周波数Ｒ１を検知可能に設けられる。
【００２０】
また、第２検知手段５Ｂは、前記シャフト２の軸線Ｑ２に交叉する軸面Ｑ３に対して所望の傾斜角度θをつけてヘッド１に対するシャフト２の取付個所Ｋの近辺の前記シャフト２周りに接着されるので、インパクト時にボール６の打撃位置が、ヘッドフェース４のスィートスポット部Ｓ、およびトゥ側Ｔ、ヒール側Ｈ、上部側Ｕ、さらには下部側Ｄ等に対応して打撃により発生する衝撃によるゴルフクラブＡのトルク方向Ｗの衝撃による抵抗値変化を、重畳波成分のうち特に局部曲げ共振周波数Ｒ２につき検知可能に設けられる。この第２検知手段５Ｂの軸面Ｑ３に対する傾斜角度θは、例えば３０°〜４５°が最適であり、効率良く打撃時の衝撃による抵抗値変化を検知するのに好適である。
【００２１】
また、前記第１検知手段５Ａおよび第２検知手段５ＢをゴルフクラブＡに取付けるための固着手段としては、例えば接着剤を用いて第１検知手段５Ａおよび第２検知手段５Ｂをヘッド１に対するシャフト２の取付個所Ｋの近辺に接着したり、または両面粘着テープを用いて接着されるのが好適であるが、これは代表的な例示であり、ねじ止めまたは鋲着によってもよい。
【００２２】
また、ボール６のインパクト時に、ヘッドフェース４にボール６の打撃位置毎に、すなわち、ヘッドフェース４のスィートスポット部Ｓ、およびトゥ側Ｔ、ヒール側Ｈ、上部側Ｕ、下部側Ｄ等に生ずるボール６の打撃による衝撃は、前記第１検知手段５Ａおよび第２検知手段５Ｂにより抵抗値変化として検知され、そしてこの第１検知手段５Ａおよび第２検知手段５Ｂにより検知される信号は、後記表示手段７により例えば打撃位置、打撃方向、飛距離等が表示される。
【００２３】
７は表示手段であり、この表示手段７はボール６のインパクト時に、ヘッドフェース４のボール６の打撃位置に対応して前記第１検知手段５Ａと、第２検知手段５Ｂとの電極８ａ，８ａ′；８ｂ，８ｂ′に接続された信号線９，９′を通じて送信され、この信号をもとにヘッド１によるボール６の打撃方向、打撃の有無等のゴルフボール特性についての情報を解析して知るためのものである。
前記信号線９，９′は、略中空円錐筒状のシャフト２の中空部内に配索されてもよいし、またはシャフト２の外周に沿って配索することにより、複数個所を粘着テープを巻付けてシャフト２の外周に固定されても良い。
【００２４】
また、この表示手段７は、例えば図１、図３、図４に示すように、ゴルフクラブＡのシャフト２の上方部に取付けられる。そして、表示手段７は、前記信号線９，９′の他端が配索されて蓋１０が本体部１１Ａに開閉可能に設けられる略箱状のケース１１と、該ケース１１内に収納される電源部１２と、前記信号線９，９′からの信号が増幅される増幅手段１３と、直流成分および低周波成分を除去するバンドパス・フィルター１４、電圧変化分を矩形波になるように整形し、矩形波の立上がりでトリガして一定の幅と振幅のパルスを得るクリップ・アンプ１５、クリップ・アンプ１５からの信号をもとにパルス周期を出力する積分器１６、デジタルカウンター１７を備える制御部１８と、スイッチ１９と、前記第１検知手段５Ａと、第２検知手段５Ｂとに検知される信号をもとに液晶表示２０により造形化されたり、点滅されるか等して目視可能または音声等により聴取可能となす告知部２１とにより形成される。
【００２５】
本発明のゴルフクラブＡの一実施形態は以上の構成からなり、ゴルフクラブＡを用いて例えば初心者がボール６に対するインパクトの打撃練習を行うのには、先ず、ゴルフクラブＡの上方のグリップ３の手前等に設けた表示手段７の外側に設けたスイッチ１９をオンする。
次いで、両手でゴルグクラブＡを把持し、ボール６に対して所望のスタンスにてアドレスし、ボール６の打撃練習を行う。
【００２６】
そして、ゴルフクラブＡを所望高さに振り上げ、ボール６を打撃すると、ヘッド１のヘッドフェース４のスィートスポット部Ｓの略中心Ｏを通る横線Ｑ１とシャフト２の軸線Ｑ２とが交叉するヘッド１に対するシャフト２の取付個所Ｋの近辺に、面状をなすストレート・ゲージ等により形成される第１検知手段５Ａが、ヘッドフェース４のスィートスポット部Ｓの略中心Ｏを通る横線Ｑ１に略平行に接着されているので、この第１検知手段５Ａによりボール６のインパクト時にヘッドフェース４の打撃位置毎に、すなわちスィートスポット部Ｓ、およびトゥ側Ｔ、ヒール側Ｈ、上部側Ｕ、さらには下部側Ｄ等に対応してボール６の打撃により発生する衝撃によるゴルフクラブＡのモーメント方向Ｍの抵抗値変化が、重畳波成分のうち特に一次曲げ共振周波数Ｒ１として検知される。
【００２７】
そして、本実施形態のゴルフクラブＡを計測器として図には示さないストレーンメータを使用し、このストレーンメータをコピュータに接続することによりヘッドフェース４の打撃位置毎に異なる衝撃による経時的な抵抗値変化を実験室的に計測した結果、図５、図６、図７を得た。
この実験的な計測では、ゴルフクラブＡのグリップ３側の一端を固定し、ヘッドフェース４のスィートスポット部Ｓ、およびトゥ側Ｔ、ヒール側Ｈ、上部側Ｕ、さらには下部側Ｄ等に例えば図１、図２に示すように９点、すなわち点Ｐ１，Ｐ２，Ｐ３，Ｐ４，Ｐ５，Ｐ６Ｐ７，Ｐ８，Ｐ９にボール６にて衝撃を与えることによりインパクト時の衝撃による経時的な抵抗値変化をストレーンメータにて測定すると、これらヘッドフェース４の打撃位置毎に衝撃により異なる抵抗値変化は、いずれもゴルフクラブＡのモーメント方向Ｍの抵抗値変化に係わる約２３Ｈｚ程度の一次曲げ共振周波数Ｒ１と、ゴルフクラブＡのトルク方向Ｗの抵抗値変化に係わる約６０Ｈｚ程度の局部曲げ共振周波数Ｒ２との重畳波よりなることが分かった（図５、図６、図７参照）。また、これらの約２３Ｈｚ程度の一次曲げ共振周波数Ｒ１と、約６０Ｈｚ程度の局部曲げ共振周波数Ｒ２との２成分よりなる振動は、減衰が少なく、長時間にわたり、振動していることがわかった。
【００２８】
また、このようにして測定されたヘッド１のヘッドフェース４のスィートスポット部Ｓ、および／またはトゥ側Ｔ、ヒール側Ｈ、上部側Ｕ、さらには下部側Ｄ等の９点Ｐ１，Ｐ２，Ｐ３，Ｐ４，Ｐ５，Ｐ６Ｐ７，Ｐ８，Ｐ９での抵抗値変化は、いずれも図５、図６、図７に示される如くトゥ側Ｔとヒール側Ｈとの打撃での抵抗値変化では、打撃直後のゴルフクラブＡの局部曲げ共振周波数Ｒ２に起因するトルク方向Ｗの抵抗値変化に顕著に現れている。
そして、スィートスポットＳの中心Ｏを通る横線Ｑ１上でボール６を打撃した場合を例に採ると、例えば図５に示すように、トゥ側Ｔの打撃では負方向への振幅が大きく、またヒール側Ｈの打撃では正負両方向への振幅が大きくなり、スィートスポット部Ｓに近い中間部では略中間以下の値になることがわかった。
【００２９】
そして、ヘッド１のヘッドフェース４の下部側Ｄにてボール６を打撃した場合には、図７に示すように約２３Ｈｚ程度の一次曲げ共振周波数Ｒ１および約６０Ｈｚの局部曲げ共振周波数Ｒ２はともに増加傾向になるが、このうち約２３Ｈｚ程度の一次曲げ共振周波数Ｒ１が、ヘッドフェース４のほかの位置、すなわちトゥ側Ｔ、ヒール側Ｈ、上部側Ｕにて打撃した時に比べて振幅が大きく振動していることがわかった。これは、ゴルフクラブＡによるボール６の打撃時には、ゴルフクラブＡの回転方向の共振が衝撃に関与するためであると思われる。
【００３０】
また、ヘッド１のヘッドフェース４の上部側Ｕにてボール６を打撃した場合には、図６に示すように約２３Ｈｚ程度の一次曲げ共振周波数Ｒ１は、ヘッドフェース４のスィートスポット部Ｓの中心Ｏを通る横線Ｑ１上にてボール６を打撃した場合に比べてスィートスポット部Ｓ、およびトゥ側Ｔ、ヒール側Ｈの何れもが増加しているが、ヘッドフェース４の下部側Ｄにて打撃した前記データに近似した値となり、顕著な差異は見られない。
【００３１】
このようにして、ボール６のインパクト時に、実際にボール６が当たるヘッド１のヘッドフェース４のスィートスポット部Ｓの略中心Ｏを通る横線Ｑ１と、シャフト２の軸線Ｑ２とが交叉するヘッド１に対するシャフト２の取付個所Ｋの近辺に、ヘッドフェース４のスィートスポット部Ｓの略中心Ｏを通る横線Ｑ１に略平行に接着された第１検知手段５Ａと、シャフト２の軸線Ｑ２に交叉する軸面Ｑ３に対して所望の傾斜角度θをつけてシャフト２周りに接着された第２検知手段５Ｂとにより、ボール６が打撃されたことにより発生される衝撃による抵抗値変化が効率良く検知される。
【００３２】
また、空振りしてヘッドフェース４に対してボール６の打撃がない場合には、スイング前とスィング後とでは、第１検知手段５Ａと第２検知手段５Ｂとによるボール６の打撃時の衝撃による抵抗値変化が検知されないので、空振りしたことが分かる。
【００３３】
そして、上述のように第１検知手段５Ａと第２検知手段５Ｂとによりボール６の打撃により発生する衝撃による抵抗値変化が検知されると、この信号は信号線９，９′を通じて後段に送られる。
この信号は、シャフト２の上方のグリップ３の手前に設けた表示手段７のケース１１内に収納された増幅手段１３により増幅され、直流成分および低周波成分がバンドパス・フィルター１４にて除去され、制御部１８の電圧変化分を矩形波になるように整形され、クリップ・アンプ１５にて矩形波の立上がりでトリガして一定の幅と振幅のパルスを得る。それから、クリップ・アンプ１５からの信号をもとに積分器１６にてパルス周期が出力され、デジタルカウンター１７によりパルスがカウントされて判別回路にて解析されることによりボール６がヘッドフェース４に対してどの位置にで打撃されたかの打撃位置が検知され、表示手段７にて表示される。
そして、表示手段７では、ヘッドフェース４の打撃位置が、液晶表示２０により造形化されたり、点滅されるか等して目視可能に表示されたり、または告知部２１にて音声等により聴取可能となる。
【００３４】
そして、初心者は、ヘッド１のヘッドフェース４のトゥ側Ｔ位置にてボール６を打撃した時にはボール６はスライス気味になり、またヒールＨ側にて打撃した場合にはフック気味になるはずが、実際に打撃されたボール６の打撃方向と表示部７にて表示される打撃位置とを比較することにより、本来ボール６をヘッドフェース４の打撃位置のうち、如何なる位置にて打撃すべきであったかを迅速かつ確実に会得することができる。
そして、表示手段７に表示されるインパクト時のヘッドフェース４の打撃位置をもとに、打撃方向を確認することにより、インパクト時の姿勢を正し、打撃練習に役立てることができる。
【００３５】
また、シャフト２の軸線Ｑ２に交叉する軸面Ｑ３に対して所望の傾斜角度θをつけてシャフト２周りに接着された第２検知手段５Ｂによりボール６の打撃により発生する衝撃の強弱が抵抗値変化として検知されるので、この信号をもとに制御部１８による解析がなされ、表示手段７には飛距離を液晶表示２０により造形化されたり、点滅されるか等して目視可能に表示することができたり、または告知部２１にて音声等により聴取可能に表示することができる。
【００３６】
また、本実施形態のゴルフクラブＡでは、ヘッドフェース４のスィートスポット部Ｓの略中心Ｏを通る横線Ｑ１と、シャフト２の軸線Ｑ２とが交叉するヘッド１に対するシャフト２の取付個所Ｋ近辺に、すなわち実際にボール６が打撃される以外の個所に、第１検知手段５Ａが接着され、またシャフト２の軸線Ｑ２に交叉する軸面Ｑ３に対して所望の傾斜角度θをつけてシャフト２周りに接着された第２検知手段５Ｂにより、ボール６の打撃により発生する衝撃による抵抗値変化が検知されるので、ヘッドフェース４面には構造的に何らの加工を施すことなく、既存のものをそのまま使用することができる。
【００３７】
しかも、本実施形態のゴルフクラブＡでは、特許文献１に記載の上記従来のゴルフクラブのように、ヘッドのボールが当たるヘッドフェース面に高分子圧電体等の圧電検出器を設けたことにより、この圧電検出器によりボールの打撃時の衝撃力を検知するものでは、ヘッドフェース面に設けた圧電検出器にボールが直接的に衝突して大きな衝撃を圧電検出器は受けるので、圧電検出器が衝撃を受けて損壊したり、故障して頻繁に修理が行われていたのとは異なり、ボール６を打撃するためのヘッドフェース４にボール６のインパクト時の打撃により発生する衝撃による抵抗値変化を検知可能な第１検出手段５Ａと第２検出手段５Ｂとを設けることなく、第１検出手段５Ａと第２検出手段５Ｂとは、ボール６の衝突個所以外のヘッドフェース４のスィートスポット部Ｓの略中心Ｏを通る横線Ｑ１と、シャフト２の軸線Ｑ２とが交叉するヘッド１に対するシャフト２の取付個所Ｋ近辺に設けられる。
【００３８】
従って、第１検出手段５Ａと第２検出手段５Ｂとには直接的にボール６の衝撃が加わることがないため、第１検出手段５Ａと第２検出手段５Ｂとが衝撃を受けて損壊したり、故障することがなく、修理等の保守・管理も短時間にして多くの手間がかからず迅速かつ確実に行うことができる。
【００３９】
しかも、前述のように第１検知手段５Ａおよび第２検知手段５Ｂは、をゴルフクラブＡに、接着剤を用いたり、両面粘着テープを用いてヘッド１に対するシャフト２の取付個所Ｋの近辺に接着されるので、製作および交換は容易に行える。
【００４０】
また、本実施形態のゴルフクラブＡは、特許文献１に記載のゴルフクラブのようにヘッドフェースの表面に複数個の圧電検出器の電極のリード線が、ヘッドに設けた複数個の通孔を通じて先ずヘッド内へと導入され、その後、ヘッド内に導入されたリード線はヘッドのヒール側に位置する後部屈曲部にて方向を上向きにて変更されてからシャフトの中空部内をグリップの上部にへと集約されて配索されてプラグに接続される構造により、ゴルフクラブのヘッドフェースにリード線をヘッド内に導入するための通孔を複数個、穿孔したり、または特別なヘッドフェースを用意しなければならないのとは異なり、既存のヘッドフェースを構造的に変更したり、加工することなくそのまま使用することができる。
【００４１】
しかも、本実施形態のゴルフクラブＡは、通信線９，９′をシャャフト２に沿って配索するための配索作業や検知手段５に接続するための接続作業が簡単になり、製作および組立には短時間にしてかつ多くの手間を要せず、容易に行え、製作コストは安価になる。
【００４２】
上記説明では、検知手段５として略面状をなすストレーン・ゲージを使用することにより、ボール６のインパクト時の打撃により発生する衝撃による抵抗値変化を検知可能とする場合を代表的に説明しているが、検知手段５はストレーン・ゲージを使用する場合に限ることなく、例えばボール６の打撃により抵抗値変化を検知するようにした積層構造の略面状の感歪抵抗体を使用してもよい。
また、検知手段５の平面形状は自由に選択が行われ、また検知手段５の設置個数の増減変更は適切なものを自由に選定される。
【００４３】
【発明の効果】
本発明の請求項１に記載の発明は以上のように、ヘッドフェースのスィートスポット部の略中心を通る横線と、シャフトの軸線とが交叉するヘッドに対するシャフトの取付個所の近辺にボールのインパクト時の打撃により発生する衝撃による抵抗値変化を検知可能な検知手段を設けることによりボールのヘッドフェースによる打撃位置、打撃方向、飛距離等を表示する表示手段を設けたことを特徴とし、また、本発明の請求項３に記載の発明は、請求項１または請求項２において、前記検知手段は、略面状をなすストレーン・ゲージであり、場所、設置方向を違えて複数個が設けられ、このうち第１検知手段は、ヘッドフェースのスィートスポット部の略中心を通る横線に略平行に接着され、第２検知手段は、前記シャフトの軸線に交叉する軸面に対して所望の傾斜角度をつけて前記シャフト周りに接着されたことを特徴とするするので、ヘッドフェース以外の個所において、ボールの打撃時での打撃姿勢を邪魔することがなく、敏感に打撃により発生する衝撃を感知する個所を積極的に活用して検知手段を設置したため、インパクト時のボールの打撃位置、打撃方向、飛距離等を容易かつ高精度に確認することができる。
また、検出手段が不用意に損壊することなく、故障も少なく構造的に堅牢になり、耐命性が長くなり、保守・管理も容易に行える。また、既存のヘッドフェースを変更することなくそのまま使用することができ、しかも、リード線の配索作業や接続作業が迅速かつ確実に行えるので、製作および組立が容易に行え、製作コストは安価になる。
【００４４】
また、本発明の請求項２に記載の発明は、請求項１において、前記検知手段は、ヘッドフェースのスィートスポット部、および／またはトゥ側、ヒール側、上部側、下部側等の１個所または数個所のボールの打撃位置が検知可能に設けられたことを特徴とするので、表示手段に表示されるインパクト時のヘッドフェースの打撃位置をもとにヘッドフェースの如何なる位置にて本来、打撃すべきであったかを迅速かつ確実に会得することができ、打撃方向を確認することにより、インパクト時の姿勢を正し、打撃練習に役立てることができる。
【００４５】
また、本発明の請求項４に記載の発明は、請求項１，請求項２，請求項３において、前記第１検知手段は、ボールのインパクト時の一次曲げ共振周波数を検知可能に設けられたことを特徴とするので、ゴルフクラブのモーメント方向の抵抗値変化を重畳波成分のうち特に一次曲げ共振周波数につき検知することによりインパクト時のヘッドフェースの打撃位置を知ることができ、ヘッドフェースの如何なる位置にて本来、打撃すべきであったかを迅速かつ確実に会得することができ、打撃方向を確認することにより、インパクト時の姿勢を正し、打撃練習に役立てることができる。。
【００４６】
また、本発明の請求項５に記載の発明は、請求項１，請求項２，請求項３，請求項４において、前記第２検知手段は、ボールのインパクト時のヘッドの局部曲げ共振周波数を検知可能に設けられたことを特徴とするので、ボールのインパクト時にボールの打撃位置毎に対応して打撃により発生する衝撃によるゴルフクラブのトルク方向の抵抗値変化を重畳波成分のうち特に局部曲げ共振周波数として検知することができ、飛距離を解析するのに役立つ。
【図面の簡単な説明】
【図１】図１は本発明のゴルフクラブの一実施形態を示す斜視図である。
【図２】図２は同じくヘッドとシャフトとをヘッドフェース側から見た拡大正面図である。
【図３】図３は同じく説明的な正面図である。
【図４】図４は同じく本実施形態の表示手段を示す拡大断面図である。
【図５】図５は同じくインパクト時にヘッドフェースのスィートスポット部の中心を通る横線Ｑ１上において、スィートスポット部、トゥ側、ヒール側での各点でボールを打撃した場合に打撃による衝撃に起因する抵抗値変化の測定結果を示す特性図である。
【図６】図６は同じくインパクト時にヘッドフェースの上部側でのスィートスポット部、トゥ側、ヒール側での各点でボールを打撃した場合に打撃による衝撃に起因する抵抗値変化の測定結果を示す特性図である。
【図７】図７は同じくインパクト時にヘッドフェースの下部側でのスィートスポット部、トゥ側、ヒール側での各点でボールを打撃した場合に打撃による衝撃に起因する抵抗値変化の測定結果を示す特性図である。
【符号の説明】
１    ヘッド
２    シャフト
３    グリップ
４    ヘッドフェース
５    検知手段
５Ａ  第１検知手段
５Ｂ  第２検知手段
６    ボール
７    表示手段
Ｋ    取付個所
Ｏ    中心
Ｐ１  点
Ｐ２  点
Ｐ３  点
Ｐ４  点
Ｐ５  点
Ｐ６  点
Ｐ７  点
Ｐ８  点
Ｐ９  点
Ｑ１  横線
Ｑ２  軸線
Ｑ３  軸線
Ｓ    スィートスポット部
θ    角度
【図１】
2005006828.tif 000003
【図２】
2005006828.tif 000004
【図３】
2005006828.tif 000005
【図４】
2005006828.tif 000006
【図５】
2005006828.tif 000007
【図６】
2005006828.tif 000008
【図７】
2005006828.tif 000009